(57)【特許請求の範囲】
【請求項１】
収納用箱の前面に設けられた開口を開閉する複数の吊り戸の下端部をガイドする下部ガ
イドであって、
前記収納用箱の底板に固定される固定部、前記収納用箱の開口に向かって奥側の吊り戸の下面に設けられた溝にその先端が嵌め込まれるガイド部、および一端が前記固定部に接続され、他端が前記ガイド部に接続されたガイド支持部を有するベース部材と、
前記収納用箱の開口に向かって手前側の吊り戸の下面に設けられた溝にその先端が嵌め込まれる付加ガイド部、および一端が前記付加ガイド部に接続されているとともに、前記ベース部材の前記ガイド支持部の下面に対して着脱自在に構成された連結部を有する付加部材とを備えていることを特徴とする下部ガイド。
【請求項２】
前面に開口を有する収納用箱と、前記開口を開閉する複数の吊り戸と、前記収納用箱に
載置された状態で前記前面側に突出する庇部を有しているとともに、前記庇部の下面に前
記吊り戸を吊り下げつつスライドさせる上部ガイドを備える天板と、請求項１に記載の下
部ガイドとで構成された収納体。
【請求項３】
前面に開口を有する収納用箱と、前記開口を開閉する複数の吊り戸と、請求項１に記載
の下部ガイドとで構成された収納体であって、
前記収納用箱を構成する上板における前記開口側の端部下面には、前記吊り戸を吊り下
げつつスライドさせる上部ガイドが形成されていることを特徴とする収納体。
【発明の詳細な説明】
【技術分野】
【０００１】
本発明は、玄関の靴箱や台所の下部収納等に使用される吊り戸用の下部ガイドと、当該下部ガイドを用いた収納体に関する。
【背景技術】
【０００２】
従来、玄関の靴箱や台所の下部収納といった収納体には吊り戸が設けられており、この吊り戸が水平方向にスライドして当該収納用箱の開口を開閉するようになっている（例えば、特許文献１）。このため、当該吊り戸を支えるとともに水平方向への移動をガイドするための上部ガイドレールおよび下部ガイドレールが、それぞれ収納体における天板の下面および底板の上面に設けられていた。
【０００３】
しかし、底板の上面に形成され、鉛直上向きに開口する下部ガイドレールには、埃や塵が入り込んで溜まり易く、一旦溜まってしまうと掃除するのが困難という問題があった。さらに、埃や塵が入り込んだ下部ガイドレールの上で吊り戸をスライドさせようとすると、吊り戸の下端に設けられたローラ等が噛み込んでしまい、吊り戸のスライドを阻害したり、あるいはスライド時に不快な騒音を発生させるといった問題が生じていた。
【０００４】
このような問題を解決するべく、吊り戸の下面に溝を形成し、当該溝に短冊状板材の先端部を嵌め入れることによって当該吊り戸のスライドをガイドするとともに、吊り戸の下端部がばたつくのを防止するための下部ガイドを使用するいくつかの技術が開発されている（例えば、特許文献２）。
【０００５】
この下部ガイド１では、図９に示すように、収納用箱Ａを構成する仕切板２等に固定される固定部３と、固定部３から延出するガイド支持部４と、ガイド支持部４から鉛直上向きに延びる２つのガイド部５とが、一枚の板材を折り曲げることで一体的に構成されており、ガイド部５の各先端部５ａ、５ｂを吊り戸６の下面に形成された溝７に嵌め込むことにより、下部ガイド１が吊り戸６のスライドをガイドするようになっている。
【０００６】
このような下部ガイド１を採用することにより、埃や塵による上記問題を回避することができる。
【先行技術文献】
【特許文献】
【０００７】
【特許文献１】特開平７−４２４６０号公報
【特許文献２】特開平９−３２２８３１号公報
【発明の概要】
【発明が解決しようとする課題】
【０００８】
しかしながら、このような従来の下部ガイド１にも問題があった。すなわち、図１０に示すように、収納用箱Ａに３枚の吊り戸６ａ〜６ｃを設ける場合、最少で２個の下部ガイド１が必要となる。これら下部ガイド１の一方（図中左側の下部ガイド１）におけるガイド部５は、２枚の吊り戸（収納用箱の開口に向かって左奥側の吊り戸６ａと、中央手前側の吊り戸６ｂ）の溝７にそれぞれ嵌め込まれるので問題ないが、他方の下部ガイド１（図中右側の下部ガイド１）では、奥側のガイド部５が右奥側の吊り戸６ｃの溝７に嵌め込まれるだけで、手前側のガイド部５は露出してしまい、見栄えが悪いという問題が生じてしまう（この問題は、収納用箱Ａに用いる吊り戸６が３枚の場合に限られず、該吊り戸６が奇数枚の場合に生じる。）。
【０００９】
このような見栄えの悪さを解消するためには、ガイド部５が１つだけ形成された下部ガイド１’（図示せず）を使用すればよいが、この場合、互いに形状の異なる複数の下部ガイド１および１’（ガイド部５の数が２つのものと、１つのもの）を準備しなければならないことから、部品在庫の増加によるコストの悪化や、下部ガイド１を用いた収納体の製造時において、適切な形状の下部ガイド１あるいは１’を取り付け間違うことが懸念される。
【００１０】
本発明は、このような従来技術の問題点に鑑みて開発されたものである。それゆえに本発明の主たる課題は、収納用箱に取り付けられる吊り戸の数に関係なく１つの種類で対応することができる下部ガイド、およびそれを用いた収納体を提供することにある。
【課題を解決するための手段】
【００１１】
請求項１に記載した発明は、
「収納用箱１４の前面に設けられた開口２２を開閉する複数の吊り戸１６（１６ａ，１６ｂ，１６ｃ）の下端部をガイドする下部ガイド１０であって、
前記収納用箱１４の底板１４ｂに固定される固定部４２、前記収納用箱１４の開口２２に向かって奥側の吊り戸１６ａ，１６ｃの下面２３に設けられた溝２４にその先端が嵌め込まれるガイド部４４、および一端が前記固定部４２に接続され、他端が前記ガイド部４４に接続されたガイド支持部４６を有するベース部材３８と、
前記収納用箱１４の開口２２に向かって手前側の吊り戸１６ｂの下面２３に設けられた溝２４にその先端が嵌め込まれる付加ガイド部４８、および一端が前記付加ガイド部４８に接続されているとともに、前記ベース部材３８の前記ガイド支持部４６の下面に対して着脱自在に構成された連結部５０を有する付加部材４０とを備えていることを特徴とする下部ガイド１０」である。
【００１２】
本発明が適用された下部ガイド１０は、ベース部材３８と付加部材４０とで構成されており、これらベース部材３８および付加部材４０は、別々の吊り戸１６の下面２３に設けられた溝２４にその先端が嵌め込まれるガイド部４４および付加ガイド部４８を有しており、また、付加部材４０の連結部５０は、ベース部材３８のガイド支持部４６に対して着脱自在に構成されている。
【００１３】
これにより、上述したような３枚の吊り戸１６が設けられた収納用箱１４に適用する場合、図７に示すように、２枚の吊り戸１６（図中、左奥側の吊り戸１６ａと中央手前側の吊り戸１６ｂ）をガイドする下部ガイド１０（図中左側の下部ガイド１０ａ）には、ベース部材３８に付加部材４０を取り付けたものを使用し、１枚の吊り戸１６（図中、右奥側の吊り戸１６ｃ）をガイドする下部ガイド１０（図中右側の下部ガイド１０ｂ）には、付加部材４０を取り外した状態のベース部材３８ｂを使用することができるので、１つの種類の下部ガイド１０で、従来の下部ガイド１のように、ガイド部５が露出して見栄えが悪くなるのを避けることができる。
【００１４】
また、付加部材４０の連結部５０は、ベース部材３８のガイド支持部４６に対して着脱自在であることから、ベース部材３８を収納用箱１４に固定した後であっても、当該固定を解除することなく、付加部材４０をいずれかのベース部材３８に着脱することができる。したがって、図中の中央手前側の吊り戸１６ｂのスライド方向を逆にしたい場合、図中左側のベース部材３８ａに取り付けられている付加部材４０ａを図中右側のベース部材３８ｂに移設するだけで、簡単に対応することができる。
【００１５】
請求項２に記載した発明は、請求項１に記載の下部ガイド１０を用いた収納体１２に関し、「前面に開口を有する収納用箱１４と、前記開口２２を開閉する複数の吊り戸１６と、前記収納用箱１４に載置された状態で前記前面側に突出する庇部３１を有しているとともに、前記庇部３１の下面１９に前記吊り戸１６を吊り下げつつスライドさせる上部ガイド３２を備える天板１８と、請求項１に記載の下部ガイド１０とで構成された収納体１２」である。
【００１６】
この発明に係る収納体１２では、吊り戸１６、天板１８、および下部ガイド１０と、収納用箱１４とは互いに独立した関係になっているので、例えば、需要者の好みに対応するために複数種類の吊り戸１６を用意するような場合であっても、収納用箱１４は１種類のみを準備して共通化することができ、収納体１２の低コスト化を実現することができる。
【００１７】
請求項３に記載した発明は、
「前面に開口２２を有する収納用箱１４と、前記開口２２を開閉する複数の吊り戸１６と、請求項１に記載の下部ガイド１０とで構成された収納体１２であって、
前記収納用箱１４を構成する上板１４ａにおける前記開口２２側の端部下面には、前記吊り戸１６を吊り下げつつスライドさせる上部ガイド３２が形成されていることを特徴とする収納体１２」である。
【００１８】
この発明によれば、請求項２の収納体１２とは異なり、天板１８を設けることなく、請求項１に記載の下部ガイド１０を用いた収納体１２を提供することができる。
【発明の効果】
【００１９】
本発明によれば、１つの種類の下部ガイドで、ガイド部が露出して見栄えが悪くなるのを回避することができるので、部品在庫の増加によるコストの悪化や、収納用箱の製造時に取り付け間違いが生じることのない下部ガイドおよびそれを用いた収納体を提供できた。
【図面の簡単な説明】
【００２０】
【図１】本発明に係る収納体を示す斜視図である。
【図２】図１に示す収納体を鉛直面で切断した断面図である。
【図３】本発明に係る下部ガイドを示す分解斜視図である。
【図４】他の実施例に係る下部ガイドを示す断面図である。
【図５】他の実施例に係る下部ガイドを示す断面図である。
【図６】収納体の製造手順を示す斜視図である。
【図７】図１に示す収納体を水平面で切断した断面図である。
【図８】他の実施例に係る収納体を示す断面図である。
【図９】従来技術を示す図である。
【図１０】従来技術を示す図である。
【発明を実施するための形態】
【００２１】
以下、本発明の実施態様について、本発明に係る下部ガイド１０が適用された収納体１２について説明し、その途中で下部ガイド１０について詳述する。
【００２２】
本実施例の収納体１２は、図１および図２に示すように、大略、収納用箱１４と、吊り戸１６と、天板１８と、下部ガイド１０とで構成されている。なお、本明細書では、吊り戸１６および下部ガイド１０の符号に関し、上位概念で示す場合には、アルファベットの枝番をつけずアラビア数字のみで示し、個々の吊り戸１６同士あるいは下部ガイド１０同士を区別する必要がある場合（すなわち下位概念で示す場合）にはアルファベットの枝番をアラビア数字に付して区別する。
【００２３】
収納用箱１４は、靴等を収容するための収納空間２０が形成され、前面に開口２２を有する箱体であり、合板、ＬＶＬ、ＭＤＦ、集成材、パーティクルボード、ストランドボード、単板等の木質板材を組み合わせて形成されている。もちろん、収納用箱１４の材質は木質板材に限られず、アルミ薄板等の金属であってもよいし、樹脂製板材であってもよい。なお、本実施例では、収納空間２０が２枚の横板２１で区画されているが、従来技術のように仕切板（縦板）で区画してもよい。
【００２４】
吊り戸１６は、収納用箱１４の開口２２を開閉する略矩形状の板材であり、本実施例では、３枚の吊り戸１６ａ〜１６ｃが用いられている（吊り戸１６の枚数は２枚以上であればよいが、本発明に係る下部ガイド１０を使用するメリットが十分に活かせられる点で、３枚、５枚…といった奇数枚が好適である。）。
【００２５】
各吊り戸１６の下面２３には、後述する下部ガイド１０のガイド部４４あるいは付加ガイド部４８が嵌め込まれる溝２４が設けられている。この溝２４は吊り戸１６の長手方向に設けられており、該溝２４の両端は吊り戸１６の側端からやや内側に入ったところに位置している（図７参照）。なお、各吊り戸１６の表面側は、フラットなままでもよいが、吊り戸１６を開け閉めする際の手掛かりとして、図示するように表面側の端部に掘込部６８を設けたり、あるいは、取手（図示せず）を設けてもよい。
【００２６】
また、吊り戸１６の上端部には吊金具２６が取り付けられており、この吊金具２６は、上部ガイド３２（後述）に沿って走行する一対の走行輪２８と、その上端部左右側面に当該走行輪２８が軸２９によって回転可能に取り付けられており、下端に吊り戸１６が取り付けられる軸部材３０とで構成されている。なお、軸部材３０の下端部は低い円柱状に形成されており、当該円柱状部分３０ａの一部を吊り戸１６の上端部に埋め込むようにして取り付けられる（図２における破線部は、埋め込まれた円柱状部分３０ａを示している。）。
【００２７】
天板１８は、収納用箱１４の上板１４ａに載置される木質板材であり、収納用箱１４に載置された状態で当該収納用箱１４の前面側に突出する庇部３１を有している（なお、庇部３１よりも中央寄りには凹所３３が形成されており、当該凹所３３に収納用箱１４の上板１４ａが嵌り込むようになっている。）。その下面１９には、上述した吊金具２６と協働して吊り戸１６を天板１８から吊り下げつつスライドさせる上部ガイド３２が形成されている。なお、天板１８の上面１８ａは、収納体１２を構成したときの露出面になることから、該上面には必要に応じて化粧板や化粧紙を積層してもよいし、さらに、化粧板や化粧紙の上にクリア塗装等を施してもよい。
【００２８】
上部ガイド３２は、天板１８の下面１９に形成された、吊り戸１６のスライド方向に延びる上部ガイド用溝３４に、フレーム材３６を嵌め込むことによって構成されている。
【００２９】
フレーム材３６は、本体部３６ａとレール部３６ｂとで一体的に構成されている。本体部３６ａは、断面が略コ字状に形成された金属製の角棒材であり（「断面が略コ字状」に形成されていることから側面に開口３６ｃが存在する。）、その開口３６ｃを下向きにして上部ガイド用溝３４に嵌め込まれている。また、レール部３６ｂは、本体部３６ａにおける開口３６ｃの間隔を狭めるようにして本体部３６ａの左右下端からそれぞれ対向する左右下端に向けて突設された左右一対の鍔状部分であり、吊り戸１６の吊金具２６をフレーム材３６の内部空間に収容したとき、一対の走行輪２８が一対のレール部３６ｂの上面に載置されて該レール部３６ｂ上を走行するようになっている。
【００３０】
下部ガイド１０は、吊り戸１６の下端部をガイドする部材であり、図３に示すように、大略、収納用箱１４に固定されるベース部材３８と、当該ベース部材３８に着脱可能な付加部材４０とで構成されており、本実施例では２セットの下部ガイド１０が使用されている。なお、ベース部材３８および付加部材４０の材質は、ステンレス等の金属や硬質樹脂等を用いることができる。
【００３１】
ベース部材３８は、収納用箱１４に固定される（本実施例では収納用箱１４の底板１４ｂに固定されるようになっている。）固定部４２と、吊り戸１６の下面２３に設けられた溝２４にその先端が嵌め込まれるガイド部４４と、一端が固定部４２に接続され、他端がガイド部４４に接続されたガイド支持部４６とを有している。また、本実施例では、固定部４２に固定用のタップ皿ネジ６１（図２を参照）を挿通する２つの皿孔６０が形成されており、さらに、ガイド支持部４６には、付加部材４０を固定するための皿ネジ６３（図２を参照）を挿通する２つの皿孔６２が形成されている。
【００３２】
付加部材４０は、ベース部材３８のガイド部４４が嵌め込まれるのとは別の吊り戸１６の溝２４にその先端が嵌め込まれる付加ガイド部４８と、一端が付加ガイド部４８に接続されているとともに、ベース部材３８のガイド支持部４６に対して着脱自在に構成された連結部５０とを有している。また、連結部５０には、ベース部材３８のガイド支持部４６に形成された皿孔６２と対応する位置に、皿ネジ６３が螺着されるネジ孔６４が形成されている。なお、上述のように、付加部材４０の連結部５０は、皿ネジ６３によって着脱自在になっているが、付加部材４０の着脱方式はもちろんこの態様に限られるものではなく、リベット留めでもよいし、他の態様であってもよい。
【００３３】
なお、ベース部材３８の形状は、本実施例のもの（図３）のように、固定部４２がＬ字型になっており、ガイド部４４およびガイド支持部４６と合わせてその断面形状が柄杓型になるようなものに限られず、図４および図５に示すように、その断面がＵ字型（図４）であってもよいし、Ｌ字型（図５）であってもよい。なお、生産性や部品の種類数を低減するため、ガイド部４４およびガイド支持部４６の高さを揃える必要はなく、また、ガイド部４４およびガイド支持部４６の幅や厚さも吊り戸１６に形成された溝２４に嵌め込むことができる寸法であれば、特に限定されるものではない。
【００３４】
しかし、「Ｕ字型」の場合、ベース部材３８を収納用箱１４における底板１４ｂの小口面１４ｃに取り付けることとなり、取り付け強度の点で問題が生じるおそれがある（なお、Ｕ字状のベース部材３８の場合、小口面１４ｃにタップ皿ネジ６１をねじ込むためにドライバーの先端部を挿通する挿通孔６６をガイド部４４に形成しておく必要がある。）。
【００３５】
また、「Ｌ字型」の場合、ベース部材３８を収納用箱１４の底板１４ｂの下面に取り付けざるを得なくなり（仮に底板１４ｂの上面に取り付けたとすると、ガイド部４４の位置が高くなり、吊り戸１６の下面２３の位置が高くなってしまうことから、吊り戸１６の下方から収納用箱１４の収納空間２０が見えてしまう。）、収納用箱１４の天地を逆にしなければネジ留め出来なくなることから作業性が悪くなるという問題がある。この点、「柄杓型」は、収納用箱１４の下板の上面に取り付けることが可能であり、取り付け強度および作業性に問題が生じることがないので好適である。
【００３６】
次に、収納体１２を製造する手順について、図６を用いて説明する。まず、収納用箱１４（図６（ａ））と、３枚の吊り戸１６と、３セットの吊金具２６と、上部ガイド３２を取り付けた天板１８と、２セットの下部ガイド１０とを用意する。
【００３７】
然る後、収納用箱１４の上板１４ａを凹所３３に嵌め込むようにして天板１８を載置し、収納用箱１４の収納空間２０から収納用箱１４の上板と天板１８とをビス留めする（図６（ｂ））。
【００３８】
そして、上部ガイド３２に３セットの吊金具２６を取り付けるとともに、収納用箱１４の下板に２セットの下部ガイド１０を取り付ける（図６（ｃ））。なお、本実施例では、３枚の吊り戸１６を配置するので、２セットの下部ガイド１０は、図示するように、収納用箱１４の開口２２の横幅寸法を三等分した位置にそれぞれ取り付けることになる。
【００３９】
下部ガイド１０を所定の位置に取り付けた後、中央手前側の吊り戸１６ｂをガイドしない方の下部ガイド１０ｂから付加部材４０を取り外し（図６（ｃ）は、取り外した状態を示している。）、然る後、３枚の吊り戸１６の下面２３に形成された各溝２４に下部ガイド１０のガイド部４４および付加ガイド部４８を嵌め込みつつ、当該吊り戸１６の上部に吊金具２６を取り付けることにより、収納体１２が完成する。もちろん、先に吊り戸１６の上部に吊金具２６を取り付け、然る後、吊金具２６を上部ガイド３２に取り付けてもよい。
【００４０】
このように、下部ガイド１０は、ベース部材３８と付加部材４０とで構成されており、付加部材４０の連結部５０は、ベース部材３８のガイド支持部４６に対して着脱自在に構成されている。このため、本実施例のような３枚の吊り戸１６が設けられた収納用箱１４に適用する場合、図７に示すように、２枚の吊り戸１６（図中、左奥側の吊り戸１６ａと中央手前側の吊り戸１６ｂ）をガイドする下部ガイド１０（図中左側の下部ガイド１０ａ）には、ベース部材３８に付加部材４０を取り付けたものを使用し、１枚の吊り戸１６（図中、右奥側の吊り戸１６ｃ）をガイドする下部ガイド１０（図中右側の下部ガイド１０ｂ）には、付加部材４０を取り外したベース部材３８を使用することができるので、１種類の下部ガイド１０を用意するだけで、従来の下部ガイド１のように、ガイド部５が露出して見栄えが悪くなるのを回避することができる。
【００４１】
また、付加部材４０の連結部５０は、ベース部材３８のガイド支持部４６に対して着脱自在であることから、ベース部材３８を収納用箱１４に固定した後であっても、当該固定を解除することなく、付加部材４０をベース部材３８に着脱することができる。したがって、図中の中央手前側の吊り戸１６ｂのスライド方向を逆にしたい場合、図中左側のベース部材３８ａに取り付けられている付加部材４０ａを図中右側のベース部材３８ｂに移設するだけで、簡単に対応することができる。
【００４２】
さらに、本実施例の収納体１２を構成する、吊り戸１６、天板１８、および下部ガイド１０と、収納用箱１４とは互いに独立した関係になっているので、例えば、需要者の好みに対応するために複数種類の吊り戸１６を用意するような場合であっても、収納用箱１４は１種類のみを準備して共通化することができ、収納体１２の低コスト化を実現することができる。
【００４３】
図８に示すように、天板１８を設けず、収納用箱１４を構成する上板１４ａの開口２２側端部の下面に上部ガイド３２を取り付けてもよい。この場合、天板１８を設けることなく、下部ガイド１０を用いた収納体１２を提供することができる。なお、図示するように、収納用箱１４を構成する底板１４ｂの長さを、上板１４ａの長さに比べて、吊り戸１６の厚さの分だけ短く形成するのが好適である。さもないと、底板１４ｂとの干渉を避けるために吊り戸１６の高さを短くせざるを得ず、吊り戸１６の下方から収納用箱１４の収納空間２０が見えてしまうからである。
【符号の説明】
【００４４】
１０…下部ガイド
１２…収納体
１４…収納用箱
１６…吊り戸
１８…天板
１９…（天板の庇部の）下面
２０…収納空間
２１…横板
２２…開口
２３…（吊り戸の）下面
２４…（吊り戸の）溝
２６…吊金具
２８…走行輪
２９…軸
３０…軸部材
３０ａ…（軸部材下部の）円柱状部分
３１…（天板の）庇部
３２…上部ガイド
３３…（天板の）凹所
３４…上部ガイド用溝
３６…フレーム材
３６ａ…本体部
３６ｂ…レール部
３８…ベース部材
４０…付加部材
４２…固定部
４４…ガイド部
４６…ガイド支持部
４８…付加ガイド部
５０…連結部
６０…皿孔
６１…タップ皿ネジ
６２…皿孔
６３…皿ネジ
６４…ネジ孔
６６…挿通孔
６８…堀込部
【図１】
0005368411.tif 000002
【図２】
0005368411.tif 000003
【図３】
0005368411.tif 000004
【図４】
0005368411.tif 000005
【図５】
0005368411.tif 000006
【図６】
0005368411.tif 000007
【図７】
0005368411.tif 000008
【図８】
0005368411.tif 000009
【図９】
0005368411.tif 000010
【図１０】
0005368411.tif 000011